(57)【特許請求の範囲】
【請求項１】
上方に開口する収納空間を形成する立壁と、少なくとも前記立壁に高さ方向に沿って複数段に開口する挿入部とを具備してなり、何れかの段を選択して前記立壁の挿入部に用紙支持部材の一部を着脱可能に挿入して収納空間内に可動底として位置づけることにより、選択した段に応じた深さで前記開口から投入された用紙を立て掛けた状態に支持し得るようにしたものであって、前記挿入部は対面する一対の立壁に設けられ、前記用紙支持部材は、一方の立壁を貫通して他方の立壁の対応する挿入部に差し込まれることを特徴とする用紙収納装置。
【請求項２】
収納空間が、立壁である前壁および後壁と、底壁を具備し、底壁の上方に前記用紙支持部材が挿入される請求項１記載の用紙収納装置。
【請求項３】
各段の挿入部を幅方向に沿って複数個所に設け、幅方向に沿って一又は複数の挿入部を選択して前記用紙支持部材を挿入することにより、選択した幅方向位置で前記用紙を支持し得るようにしている請求項１又は２記載の用紙収納装置。
【請求項４】
用紙支持部材は、挿入部に挿入されて収納空間内で可動底を形成する底形成部と、底形成部の適切な挿入位置で立壁の外面に添って配置される摘み部とを備えている請求項１〜３のいずれかに記載の用紙収納装置。
【請求項５】
共通の摘み部に対して、複数の底形成部を分岐させて幅方向に所定間隔で並列に設け、立壁の複数の挿入部にまたがって単一の用紙支持部材の対応する底形成部を挿入可能としている請求項４記載の用紙収納装置。
【請求項６】
用紙支持部材の挿入位置で、底形成部が後傾または前傾しているように構成されている請求項４又は５記載の用紙収納装置。
【請求項７】
摘み部及び底形成部を上下反転して底形成部を挿入部に挿入可能としている請求項６記載の用紙収納装置。
【請求項８】
収納空間の上方開口縁に、幅方向に沿って少なくとも複数個所に仕切り支持部を設け、その仕切り支持部に支持させた状態で幅方向の所要位置に収納空間を仕切る仕切りを配置可能としている請求項１〜７のいずれかに記載の用紙収納装置。
【請求項９】
請求項１〜８のいずれかに記載の用紙収納装置を天板の後縁に備えてなることを特徴とする天板付家具。
【発明の詳細な説明】
【技術分野】
【０００１】
本発明は、役所などの公共機関等に特に好適に利用可能な用紙収納装置及びこれを備えた天板付家具に関するものである。
【背景技術】
【０００２】
従来より、役所等の公共機関で証明書の記載台を利用する場合、記載台を構成する天板等の周囲に記入用の用紙が用意されているのが通例である。
【０００３】
例えば、特許文献１のものは、天板の後縁にパネルを立設し、そのパネルに用紙ケースを引っ掛けて、その用紙ケースに記入用の用紙を立て掛けた状態で収納するように構成されている。
【先行技術文献】
【特許文献】
【０００４】
【特許文献１】特開２０１０−１０４５５４号公報
【発明の概要】
【発明が解決しようとする課題】
【０００５】
ところが、このような構成では、用紙サイズに応じた深さや幅の用紙ケースを準備しなければならず、用紙が縦使いか横使いかによっても用紙ケースのサイズが異なってくるため、用紙ケースに多くの種類を揃えなければならず、コストアップや使用しない用紙ケースを保管するスペースの無駄等も生じ易い問題がある。
【０００６】
大は小を兼ねる意味で、大きめの用紙ケースで統一することも考えられるが、用紙ケースに対して用紙が小さいと、用紙が用紙ケース内に完全に埋没して用紙の見出しが見えなくなるとともに、用紙を取りづらくなり、逆に用紙ケースに対して用紙が大きいと、用紙ケースに収まらなくなったり、用紙が用紙ケースから大きく食み出して脱落したり、用紙の見出しがわからなくなる程度にまで前垂れするなどの不都合につながる。したがって、やはり用紙ケースを用紙のサイズに適合させることは不可欠である。
【０００７】
本発明は、このような課題に着目し、用紙サイズに応じて収納空間を変更できるようにした、汎用性のある用紙収納装置を新たに提供することを目的としている。
【課題を解決するための手段】
【０００８】
本発明は、かかる目的を達成するために、次のような手段を講じたものである。
【０００９】
すなわち、本発明の用紙収納装置は、上方に開口する収納空間を形成する立壁と、少なくとも前記立壁に高さ方向に沿って複数段に開口する挿入部とを具備してなり、何れかの段を選択して前記立壁の挿入部に用紙支持部材の一部を着脱可能に挿入して収納空間内に可動底として位置づけることにより、選択した段に応じた深さで前記開口から投入された用紙を立て掛けた状態に支持し得るようにしたものであって、前記挿入部は対面する一対の立壁に設けられ、前記用紙支持部材は、一方の立壁を貫通して他方の立壁の対応する挿入部に差し込まれることを特徴とする。
【００１０】
このように構成によれば、用紙のサイズや挿入方向に応じて、用紙の見出しや摘みしろが適切に上方に表出するように収納空間の深さを調整することができるので、用紙の高さ寸法ごとに深さの異なる収納ケースを用意する必要がなくなる。
【００１１】
さらに、挿入部が対面する一対の立壁に設けられ、用紙支持部材が、一方の立壁を貫通して他方の立壁の対応する挿入部に挿し込まれるよう構成されていることから、用紙支持部材の挿入状態を安定確実なものにすることができる。
【００１２】
好ましくは、収納空間が、立壁である前壁および後壁と、底壁を具備し、底壁の上方に前記用紙支持部材が挿入されるように構成されていることが好適である。
【００１３】
用紙幅ごとに幅寸法の異なる収納ケースを用意することも不要にするためには、各段の挿入部を幅方向に沿って複数個所に設け、幅方向に沿って一又は複数の挿入部を選択して前記用紙支持部材を挿入することにより、選択した幅方向位置で前記用紙を支持し得るようにしていることが望ましい。
【００１４】
用紙支持部材を簡易で確実に取り扱えるものにするためには、当該用紙支持部材は、挿入部に挿入されて収納空間内で可動底を形成する底形成部と、底形成部の適切な挿入位置で立壁の外面に添って配置される摘み部とを備えているものが好都合である。
【００１５】
用紙支持部材の機能を高めるための構成としては、共通の摘み部に対して、複数の底形成部を分岐させて幅方向に所定間隔で並列に設け、立壁の複数の挿入部にまたがって単一の用紙支持部材の対応する底形成部を挿入可能としているものが有効である。
【００１６】
用紙の収納姿勢を誘導するためには、用紙支持部材の挿入位置で、底形成部が後傾または前傾しているように構成されていることが便利である。
【００１７】
この場合、目的・用途に応じた使い分けを可能とするためには、摘み部及び底形成部を上下反転して底形成部を挿入部に挿入可能としていることが好ましい。
【００１８】
用紙間を幅方向に仕切る部材にも、用紙サイズに応じた汎用性を与えるためには、収納空間の上方開口縁に、幅方向に沿って少なくとも複数個所に仕切り支持部を設け、その仕切り支持部に支持させた状態で幅方向の所要位置に収納空間を仕切る仕切りを配置可能としていることが望ましい。
【００１９】
本発明の用紙収納装置は、以上説明した構成であるから、天板付家具を構成する天板の後縁に備えることにより、種々多様な書類を天板にコンパクトに付帯させて、役所への申請手続等の便に供することが可能となる。
【発明の効果】
【００２０】
本発明は、以上説明した構成であるから、用紙に応じた収納ケースを多種類用意することなく、１台で種々の用紙のサイズや向きに応じた収納空間を適宜構成多種多様に利用可能とした、収納機能の高い用紙収納装置及びこれを備えた天板付家具を提供することができる。
【図面の簡単な説明】
【００２１】
【図１】本発明の一実施形態に係る用紙収納装置を適用して記載台として利用される天板付家具を示す前方斜視図。
【図２】同後方斜視図。
【図３】同要部分解斜視図。
【図４】図３の組立斜視図。
【図５】同天板付家具に付帯するパネルと用紙収納装置の取付構造を示す部分側断面図。
【図６】同部分平面図。
【図７】同部分正断面図。
【図８】用紙収納装置の構成を示す部分側断面図。
【図９】同用紙収納装置を構成する後壁の前面を示す図。
【図１０】同用紙収納装置における用紙の収納状態を示す部分側断面図。
【図１１】同用紙収納装置における用紙の他の収納状態を示す部分側断面図。
【図１２】同用紙収納装置を仕切りとともに示す部分側断面図。
【発明を実施するための形態】
【００２２】
以下、本発明の一実施形態を、図面を参照して説明する。
【００２３】
図１及び図２に示す本実施形態の天板付家具は、役所等の公共機関に設置されて来訪者が立ったままで申請書等の記載をするための記載台として利用されるものである。この天板付家具の基本構造は、左右の側板１、１の間に天板２を架設するとともに、天板２の後縁下方に用紙を収納する用紙収納装置３を構成し、天板２の後縁上方に用紙の記入例を掲示するパネル４を取り付けたものである。パネル４の下縁４ａと用紙収納装置３の上方開口３ａとはほぼ同じ立面内にあって、その間には用紙の出し入れ空間となる間隙δが設けられるとともに、パネル４の掲示領域や用紙収納装置３の収納領域を幅方向に極力広くとるための工夫や、用紙を扱い易くする工夫等が凝らされている。天板２の後縁とは、この実施形態では使用端側である前縁とは反対側にある縁部を指している。
【００２４】
以下、具体的に説明する。天板２の後縁には、図３に示すように当該天板２をコ字状にするような切欠部２１が設けられている。この切欠部２１は、天板２の後縁下方の収納空間Ｓを上方に開放するためのもので、この実施形態では天板２の後縁に配置される用紙収納装置３の収納空間Ｓが切欠部２１を介して上方に開放される。切欠部２１の幅方向両端に切り残された領域はパネル支持領域２２として設定され、このパネル支持領域２２の幅ｄ１は側板１の厚みｄ２にほぼ対応していて、その上に図４にも示すようにパネル支持部材４０が立設される。パネル支持部材４０は、チャネル状の支持杆４０ａを有し、その支持杆４０ａの一方の端面に取付板４０ｂが剛接されていて、その取付板４０ｂから更に下方に向けて垂下片４０ｃが一体に延びている。そして、取付板４０ｃを図４及び図５に示すようにパネル支持領域２２上に重合させ、垂下片４０ｃを図３に示したパネル支持領域２２の内側面２２ａ及び側板１の内側面１ａに沿って垂下させて、上方から取付板４０ｂをパネル支持領域２２にねじにより固定し（図６参照）、垂下片４０ｃを側板１の内側面１ａにねじにより固定するようにしている。
【００２５】
その際、パネル支持部材４０は、図４及び図５に示すごとく用紙収納装置３と干渉しない状態で当該用紙収納装置３の収納空間Ｓ内に収められる。用紙収納装置３は、図３及び図８等に示すように、立壁である前壁３１及び後壁３２と、底壁３３とを備えて、上方及び左右側方に開口する扁平コ字形をなし、前壁構成部材３ｘと後壁構成部材３ｙとが底壁３３となる底連結片３３ａ、３３ｂ同士の間でねじにより連結される。この実施形態では、前壁３１および後壁３２が左右の側板１、１間の内法寸法ほぼ全域に亘っており、パネル支持部材４０との干渉を避けるべく、図３の状態からパネル支持部材４０を取り付けるよりも先に前壁構成部材３ｘが取り付けられる。前壁構成部材３ｘは、前壁３１の上縁に取付片３１ａを有し、左右の側板１の内面１ａ、１ａ間に配置されて、その取付片３１ａが天板２の後縁側の下面２ｂにねじ止めされる。この取付位置で、図８等に示すように切欠部２１に臨む天板２の後端２ａと前壁構成部材３ｘの前壁３１とはほぼ面一な立面とされる。天板２の後縁における上面２ｃには、用紙収納装置３の前壁３１と同じ前壁の役割をなす立面５ａを有し実質的に収納空間Ｓを天板２の上方にまで嵩上げしてその上方に開口縁ＯＰ１を形成するための収納補助部材５が取り付けられる。
【００２６】
一方、後壁構成部材３ｙは、後壁３２の上に前記収納補助部材５と対をなして収納空間Ｓを上方に嵩上げしその上方に前記収納補助部材５とともに開口縁ＯＰ２を形成する袋状の開口縁形成部３０を有するもので、両開口縁ＯＰ１、ＯＰ２はともに上方に向けて前後に開く階段状をなしている。この後壁構成部材３ｙは、先に前壁構成部材３ｘ、パネル支持部材４０と取り付けた後に、前壁構成部材３ｘとの間にパネル支持部材４０を収めるようにして前壁３１及び後壁３２の底部に設けた底形成片３３ａ、３３ｂ同士（図３参照）を連結され、当該後壁構成部材３ｙの側方に設けた取付片３２ａが図４及び図５に示すように側板１の内面１ａにねじ止めされる。
【００２７】
そして、このようにして左右のパネル支持領域２２、２２に取り付けたパネル支持部材４０に、図５及び図７に示すようにパネル４の左右両端部を取り付けてパネル４の掲示領域４ｐを収納空間Ｓの上方に位置づけるようにしている。パネル４の左右両端には図３及び図７に示すように支柱４１が垂下しており、この支柱４１を前記パネル支持部材４０を外嵌する位置に取り付けてねじにより固定することで、図７に示すように当該パネル支持部材４０の前記パネル取付領域２２へのねじによる固定部分を隠蔽するようにしている。
【００２８】
用紙収納装置３は、用紙サイズに応じて収納サイズを可変とするものである。具体的に説明すると、図３、図４及び図８等に示すように、立壁である後壁３２には、高さ方向に沿って複数段に開口する挿入部たるスリット３２ｂが打ち抜いて形成してあり、これらのスリット３２ｂに、板材よりなる用紙支持部材６を挿入するようにしている。用紙支持部材６は、スリット３２ｂに挿入されて収納空間Ｓ内で可動底を形成する底形成部６１と、この底形成部６１の適切な挿入深さ位置で立壁である後壁３２の外面に添って配置される摘み部６２とを備えているもので、底形成部６１をスリット３２ｂに挿入して収納空間Ｓ内に可動底として位置づけることにより、選択した段に応じた深さで前記開口縁ＯＰ１、ＯＰ２から投入される用紙を立て掛けた状態に支持し得るものである。このようなスリット３２ｂは、天板幅方向に繰り返し所定の間隔で設けてあり、幅方向に沿って何れかのスリット３２ｂに前記用紙支持部材６を挿入することにより、用紙を支持する幅方向位置をも選択することを可能としている。前壁３１にも、これら後壁３２のスリット３２ｂに対応する位置にスリット３１ｂが設けてあり、後壁３２のスリット３２ｂに挿入された底形成部６１は図１０に示すように前壁３１のスリット３１ｂにも挿し込まれて、両持ち的に支持されるようにしている。図９は用紙収納装置３の収納空間Ｓから後壁３２の前面を見た例である。この実施形態は上下３段のスリット３２ｂが幅方向に所定ピッチで連続しており、図示例では縦長の用紙Ｐ１を中段のスリット３２ｂに挿入した用紙支持部材６の底形成部６１に支持させ、横長の用紙Ｐ２を上段のスリット３２ｂに挿入した用紙支持部材６の底形成部６１に支持させている。このように、挿し込むスリット３２ｂの高さや幅方向位置を選択して用紙支持部材６を挿入するだけで、用紙のサイズや挿入の向きに応じたサイズの収納部を収納空間Ｓ内に構成することができる。図１０は図９における用紙Ｐ２を支持している部分の縦断面であり、図１１は図９における用紙Ｐ１を支持している部分の縦断面である。何れの挿し込み位置でも、用紙支持部材６は底壁３３の上方に配置される。
【００２９】
なお、この実施形態における用紙支持部材６の特徴として、図３及び図９等に示すように、共通の摘み部６２に対して複数の底形成部６１を分岐させて幅方向に所定間隔で並列に設けており、後壁３２や前壁３１のスリット３２ｂ、３１ｂに幅方向に沿って１つ飛ばしで対応する底形成部６１が挿入されるようにしている。つまり、一対の底形成部６１の間隔の１／２ピッチで用紙支持部材６の幅方向の位置を可変としている。勿論、２つ飛ばし或いはそれ以上の間隙で２若しくは３以上の底形成部６１を挿入するようにしてもよい。
【００３０】
さらに、この実施形態では、図３及び図８等に示すように摘み部６２と底形成部６１とのなす角を９０度以外の値に設定してあり、用紙支持部材６の挿入位置で図１０等に示すように底形成部６１が前傾するように構成している。したがって、底形成部６１が挿入される後壁３２のスリット３２ｂに対して、その底形成部６１が挿し込まれる前壁３１のスリット３１ｂは高さ位置が異ならせてある。
【００３１】
その理由は、用紙束ＰＰを上方から収納空間Ｓに投入した場合、用紙の堅さにもよるが、その可撓性ゆえに、図示例のように後壁３２に凭れるように支持されるか、或いは図示しないが前壁３１（正確には収納補助部材５の立面５ａ）に倒れるように支持されるかが、可動底である底形成部６１が前傾しているか後傾しているかによって変わってくる場合があり、例えば後壁３２に凭れるように撓った方が用紙の見出しが視認し易いなどの事情に応じてかかる傾斜を利用することができる。図示例では前傾状態で配置されるように用紙支持部材６を構成しているが、後傾状態にする方が好ましい場合には摘み部６２及び底形成部６１を上下反転して用紙支持部材６を挿入部であるスリット３１ｂ、３２ｂに挿入できるようにしておけばよく、何れの方向へ上下反転させても使用できるようにスリット３１ｂ、３２ｂの位置関係を設定して前傾と後傾とを切り替え可能としておくことも有効である。勿論、前壁３１や後壁３２を傾斜させる構成も採用できるし、また、用紙の姿勢が特に問題とならなければ摘み部６２と底形成部６１とのなす角を９０度とし底形成部６１が水平に挿し込まれるように構成しても構わない。
【００３２】
さらにまた、本実施形態の用紙収納装置３は、図３、図６及び図８等に示すように、収納空間Ｓの上方開口縁ＯＰ１を構成する収納補助部材５に仕切り支持部として幅方向に延びる連続開口５ｚが、また後壁構成部材３２の上方開口縁ＯＰ２には仕切り支持部として所定ピッチで幅方向に延びるスリット３ｚ（図６参照）がそれぞれ形成してあり、収納空間Ｓを幅方向に仕切るために構成した図３及び図１２に示す板材からなるＴ字状の仕切り７が、何れかのスリット３ｚと連続開口５ｚとの間に上腕部７ａを差し込んだ状態で仕切り本体７ｂを前壁３１と後壁３２の間に挿入可能に構成されていて、その仕切り７により、図９に示すように収納空間Ｓを幅方向に沿って適宜の位置で仕切ることを可能にしている。
【００３３】
なお、図１０及び図１１に示すように、用紙支持部材６が挿し込まれた後壁３２を覆う位置には、必要に応じて後壁３２のスリット３２ｂを覆う領域にカバー８が着脱可能とされている。用紙支持部材６は、挿入状態で摘み部６２を後壁３２にねじ等により固定しておくようにしてもよい。
【００３４】
以上のように、本実施形態の用紙収納装置３は、上方に開口する収納空間Ｓを形成する立壁である後壁３２と、少なくとも前記後壁３２に高さ方向に沿って複数段に開口する挿入部たるスリット３２ｂとを具備し、何れかの段を選択して後壁３２のスリット３２ｂに用紙支持部材６の一部を着脱可能に挿入して収納空間Ｓ内に可動底として位置づけることにより、選択した段に応じた深さで前記開口から投入された用紙を立て掛けた状態に支持し得るように構成しており、用紙のサイズや挿入方向に応じて、用紙の見出しや摘みしろが適切に上方に表出するように収納空間Ｓの深さを調整することができるので、用紙の高さ寸法ごとに深さの異なる収納ケースを用意することを不要にして、簡易な構造で高い収納機能を実現することができる。
【００３５】
具体的には、前記収納空間Ｓは、立壁である前壁３１および後壁３２と、底壁３３を具備し、底壁３３の上方に用紙支持部材６が挿入されるようにしているので、用紙支持部材６を挿入しないときに最大深さを実現でき、また、仮に用紙支持部材６を挿入し忘れて用紙を投入しても、底壁３３にバックアップされていることで、用紙の下方への落下を有効に防止することができる。
【００３６】
加えて、本実施形態の用紙収納装置３は、各段の挿入部たるスリット３２ｂ等を幅方向に沿って複数個所に設け、幅方向に沿って一又は複数のスリット３２ｂ等を選択し用紙支持部材６を挿入することにより、選択した幅方向位置で前記用紙を支持し得るようにしているので、用紙幅ごとに幅寸法の異なる収納ケースを用意することも不要にして、収納機能をより有効に高めることができる。
【００３７】
また、スリット３１ｂ、３２ｂを対面する後壁３２及び前壁３１に対をなして設け、用紙支持部材６を、後壁３２のスリット３２ｂを貫通して前壁３１の対応するスリット３１ｂに挿し込むようにしているので、用紙支持部材６を着脱可能としつつ、挿入時の状態を安定確実なものにすることができる。
【００３８】
さらに、用紙支持部材６は、スリット３２ｂ等に挿入されて収納空間Ｓ内で可動底を形成する底形成部６１と、底形成部６１の適切な挿入位置で後壁３２の外面に添って配置される摘み部６２とを備えているため、摘み部６２を操作端として利用する以外に、摘み部６２を後壁３２に添接させる状態をもって底形成部３１を内部に適切に安定配置することができる効果が得られる。
【００３９】
この場合の用紙支持部材６の具体的な形態としては、共通の摘み部６２に対して、複数の底形成部６１を分岐させて幅方向に所定間隔で並列に設け、後壁３２の複数のスリット３２ｂにまたがって単一の用紙支持部材６の対応する底形成部６１を挿入可能としているため、用紙を複数の底形成部６１で支持するにあたって、単一の用紙支持部材６の挿脱操作を行うだけでよく、また、底形成部６１を分岐させることで、スリット３２ｂ等のピッチを小さくしてより細かい位置調整機能を実現することができる。
【００４０】
また、用紙束は投入状態で直立に起立しているわけではなく、前壁３１や後壁３２にもたれ掛かるように収納されるのが通例であることに鑑みて、用紙支持部材６の挿入位置で、底形成部６１が後傾または前傾しているように構成されているので、かかる傾斜を、用紙が所要の姿勢をとるように誘導する手段として有効に利用することができる。
【００４１】
この場合、摘み部６２及び底形成部６１を上下反転して底形成部６１をスリット３２ｂ等に挿入可能としておけば、底形成部６１の傾斜を後傾と前傾の間で反転させることができるため、単一の用紙支持部材６を目的・用途に応じて使い分けることができるようになる。
【００４２】
以上に加えて、この実施形態は、収納空間Ｓの上方開口縁ＯＰ１、ＯＰ２に、幅方向に沿って少なくとも複数個所に仕切り支持部である連続開口５ｚやスリット３ｚを設け、それらの連続開口５ｚやスリット３ｚに支持させた状態で幅方向の所要位置に収納空間Ｓを仕切る仕切り７を配置可能としているため。用紙間を幅方向に仕切る場合の機能も簡易な構造で有効に高めることができる。
【００４３】
そして、以上の用紙収納装置３を天板２の後縁に備えておくことにより、種々多様な書類を天板２にコンパクトに付帯させて、役所への申請手続等の便に供することが可能となる。
【００４４】
なお、挿入部の形状はスリット形状に限られるものではない。また、本発明は記載台以外の用途で用いられるデスク等の天板付家具に構成してもよいし、天板付家具とは独立した用紙収納装置として構成しても構わない。その他、各部の具体的な構成も上述した実施形態のみに限定されるものではなく、本発明の趣旨を逸脱しない範囲で種々変形が可能である。
【符号の説明】
【００４５】
２…天板
３…用紙収納装置
６…用紙支持部材
７…仕切り
３１…立壁（前壁）
３１ｂ、３２ｂ…挿入部（スリット）
３２…立壁（後壁）
３３…底壁
６１…底形成部
６２…摘み部
Ｓ…収納空間
【図１】
0005660708.tif 000002
【図２】
0005660708.tif 000003
【図３】
0005660708.tif 000004
【図４】
0005660708.tif 000005
【図５】
0005660708.tif 000006
【図６】
0005660708.tif 000007
【図７】
0005660708.tif 000008
【図８】
0005660708.tif 000009
【図９】
0005660708.tif 000010
【図１０】
0005660708.tif 000011
【図１１】
0005660708.tif 000012
【図１２】
0005660708.tif 000013